(57)【要約】【課題】夜間でも除雪箇所を良好に照らし、作業性良く且つ安全に除雪作業を実施できる画期的な除雪具を提供する。【解決手段】柄杆体１の先端に雪掬い部やラッセル部などの除雪作業部２を設けこの柄杆体１の基端に取手部３を設けた除雪具であって、前記取手部３は、先端を前記柄杆体１の基端に取り付け固定すると共に基端に握り杆部３Ａを有する構成とし、この取手部３に形成した中空スペースに電源４を内装し、この電源４からの通電により発光する光源５を前記取手部３の握り杆部３Ａ以外の所定部位から先端側に向けて露出状態に設け、この光源５から前記柄杆体１の前記除雪作業部２を設けた先端側に向けて光を照射し得るようにこの光源５の光の指向性を設定する。【選択図】図２
2008138449.tif 000002
【特許請求の範囲】
【請求項１】
柄杆体の先端に雪掬い部やラッセル部などの除雪作業部を設けこの柄杆体の基端に取手部を設けた除雪具であって、前記取手部は、先端を前記柄杆体の基端に取り付け固定すると共に基端に握り杆部を有する構成とし、この取手部に形成した中空スペースに電源を内装し、この電源からの通電により発光する光源を前記取手部の握り杆部以外の所定部位から先端側に向けて露出状態に設け、この光源から前記柄杆体の前記除雪作業部を設けた先端側に向けて光を照射し得るようにこの光源の光の指向性を設定したことを特徴とする除雪具。
【請求項２】
前記光源は、前記柄杆体の基端に取り付け固定される取手部の先端部から先端側に向けて露出状態に設ける構成としたことを特徴とする請求項１記載の除雪具。
【請求項３】
前記光源は、前記取手部の握り杆部以外の部位にして、この取手部の先端を取り付け固定する前記柄杆体の外面より外方に突出する位置から先端側に向けて露出状態に設けた構成としたことを特徴とする請求項１，２のいずれか１項に記載の除雪具。
【請求項４】
前記取手部は、先端から基端に向けて二股に分岐してＹ字状に突出するＹ字状取付部の先端を前記柄杆体の基端に取り付け固定すると共に、このＹ字状取付部の基端の二股間に前記握り杆部を架設状態に配した構成とし、この取手部のＹ字状取付部の基端の二股間の握り杆部は筒状に構成してこの筒状の握り杆部内に前記電源を収納配設し、この取手部のＹ字状取付部の先端において二股同志が交差する交差部にこのＹ字状取付部から外方に突出状態にして先端側に向けて露出状態に光源を設けた構成としたことを特徴とする請求項１〜３のいずれか１項に記載の除雪具。
【請求項５】
前記取手部は、先端から基端に向けて二股に分岐してＹ字状に突出するＹ字状取付部の先端を前記柄杆体の基端に取り付け固定すると共に、このＹ字状取付部の基端の二股間に前記握り杆部を架設状態に配した構成とし、この取手部のＹ字状取付部の先端において二股同志が交差する交差部に、前記電源を内装した構成としたことを特徴とする請求項１〜３のいずれか１項に記載の除雪具。
【請求項６】
前記取手部のＹ字状取付部の先端において二股同志が交差する交差部に前記電源を収納配設する電源収納部を形成し、この電源収納部を閉塞する閉塞部材に前記光源を突出状態に設け、この電源収納部に電源を収納配設して取手部に電源を内装すると共に、この電源収納部に閉塞部材を閉塞配設することでこのＹ字状取付部の二股同志が交差する交差部にして外方に突出した位置から先端側に向けて露出状態に前記光源を設けた構成としたことを特徴とする請求項５記載の除雪具。
【請求項７】
前記取手部は、先端から基端に向けて二股に分岐してＹ字状に突出するＹ字状取付部の先端を前記柄杆体の基端に取り付け固定すると共に、このＹ字状取付部の基端の二股間に前記握り杆部を架設状態に配した構成とし、この取手部のＹ字状取付部の二股同志が交差する交差部の近傍にして先端側に対向する側面に前記光源を露出状態に設けた構成としたことを特徴とする請求項１〜３のいずれか１項に記載の除雪具。
【請求項８】
前記電源から光源への通電を制御するスイッチ部を、前記取手部の基端の握り杆部以外の部位にして前記電源若しくは光源の近接位置に設けた構成としたことを特徴とする請求項１〜７のいずれか１項に記載の除雪具。
【発明の詳細な説明】
【技術分野】
【０００１】
本発明は、例えば除雪用のスコップや手動ラッセルなどの除雪具において、夜間においても作業箇所を光源により照らして良好に除雪作業を行えるようにした除雪具に関するものである。
【背景技術】
【０００２】
柄杆体の先端に雪掬い部やラッセル部などの除雪作業部を設け、この柄杆体の基端に取手部を設けたこの種の除雪具としては、従来から種々のものが提案されている。
【０００３】
例えば、除雪作業部として雪掬い部を柄杆体の先端に設けた、所謂、除雪用スコップとしては、本出願人の先願である特開２００１−８１８０２号公報に開示されるものなどがある。
【０００４】
また例えば、除雪作業部としてラッセル部を柄杆体の先端に設けた、所謂、除雪用手動ラッセルとしては、特開平１０−２３１５０７号公報に開示されるものなどがある。
【０００５】
【特許文献１】特開２００１−８１８０２号公報
【特許文献２】特開平１０−２３１５０７号公報
【発明の開示】
【発明が解決しようとする課題】
【０００６】
ところで、近年、共働きの家庭が益々増加しているが、そのような共働きの家庭では、日中に除雪作業が行えず、どうしても仕事が終わった夜間などに除雪作業を行わなければならないという状況が増加している。
【０００７】
本発明は、このような夜間の除雪作業の増加傾向に鑑み、たとえ夜間でも、除雪箇所を良好に照らし、作業性良く且つ安全に除雪作業を実施でき得ることとした画期的な除雪具を提供することを課題とする。
【課題を解決するための手段】
【０００８】
添付図面を参照して本発明の要旨を説明する。
【０００９】
柄杆体１の先端に雪掬い部やラッセル部などの除雪作業部２を設けこの柄杆体１の基端に取手部３を設けた除雪具であって、前記取手部３は、先端を前記柄杆体１の基端に取り付け固定すると共に基端に握り杆部３Ａを有する構成とし、この取手部３に形成した中空スペースに電源４を内装し、この電源４からの通電により発光する光源５を前記取手部３の握り杆部３Ａ以外の所定部位から先端側に向けて露出状態に設け、この光源５から前記柄杆体１の前記除雪作業部２を設けた先端側に向けて光を照射し得るようにこの光源５の光の指向性を設定したことを特徴とする除雪具に係るものである。
【００１０】
また、前記光源５は、前記柄杆体１の基端に取り付け固定される取手部３の先端部から先端側に向けて露出状態に設ける構成としたことを特徴とする請求項１記載の除雪具に係るものである。
【００１１】
また、前記光源５は、前記取手部３の握り杆部３Ａ以外の部位にして、この取手部３の先端を取り付け固定する前記柄杆体１の外面より外方に突出する位置から先端側に向けて露出状態に設けた構成としたことを特徴とする請求項１，２のいずれか１項に記載の除雪具に係るものである。
【００１２】
また、前記取手部３は、先端から基端に向けて二股に分岐してＹ字状に突出するＹ字状取付部３Ｂの先端を前記柄杆体１の基端に取り付け固定すると共に、このＹ字状取付部３Ｂの基端の二股間に前記握り杆部３Ａを架設状態に配した構成とし、この取手部３のＹ字状取付部３Ｂの基端の二股間の握り杆部３Ａは筒状に構成してこの筒状の握り杆部３Ａ内に前記電源４を収納配設し、この取手部３のＹ字状取付部３Ｂの先端において二股同志が交差する交差部にこのＹ字状取付部３Ｂから外方に突出状態にして先端側に向けて露出状態に光源５を設けた構成としたことを特徴とする請求項１〜３のいずれか１項に記載の除雪具に係るものである。
【００１３】
また、前記取手部３は、先端から基端に向けて二股に分岐してＹ字状に突出するＹ字状取付部３Ｂの先端を前記柄杆体１の基端に取り付け固定すると共に、このＹ字状取付部３Ｂの基端の二股間に前記握り杆部３Ａを架設状態に配した構成とし、この取手部３のＹ字状取付部３Ｂの先端において二股同志が交差する交差部に、前記電源４を内装した構成としたことを特徴とする請求項１〜３のいずれか１項に記載の除雪具に係るものである。
【００１４】
また、前記取手部３のＹ字状取付部３Ｂの先端において二股同志が交差する交差部に前記電源４を収納配設する電源収納部６を形成し、この電源収納部６を閉塞する閉塞部材７に前記光源５を突出状態に設け、この電源収納部６に電源４を収納配設して取手部３に電源４を内装すると共に、この電源収納部６に閉塞部材７を閉塞配設することでこのＹ字状取付部３Ｂの二股同志が交差する交差部にして外方に突出した位置から先端側に向けて露出状態に前記光源５を設けた構成としたことを特徴とする請求項５記載の除雪具に係るものである。
【００１５】
また、前記取手部３は、先端から基端に向けて二股に分岐してＹ字状に突出するＹ字状取付部３Ｂの先端を前記柄杆体１の基端に取り付け固定すると共に、このＹ字状取付部３Ｂの基端の二股間に前記握り杆部３Ａを架設状態に配した構成とし、この取手部３のＹ字状取付部３Ｂの二股同志が交差する交差部の近傍にして先端側に対向する側面に前記光源５を露出状態に設けた構成としたことを特徴とする請求項１〜３のいずれか１項に記載の除雪具に係るものである。
【００１６】
また、前記電源４から光源５への通電を制御するスイッチ部８を、前記取手部３の基端の握り杆部３Ａ以外の部位にして前記電源４若しくは光源５の近接位置に設けた構成としたことを特徴とする請求項１〜７のいずれか１項に記載の除雪具に係るものである。
【発明の効果】
【００１７】
本発明は上述のように構成したから、単に除雪したい箇所に除雪作業部を向けることで、取手部に設けた光源によりその除雪したい箇所を照らすことができ、また、除雪作業中も、常に除雪作業部の先の除雪箇所を照らしながら除雪作業が行える。
【００１８】
また、作業中、光源の光が作業者だけでなく例えば自動車の運転手などにも見えることから、事故防止にもつながる。
【００１９】
また、電源は取手部の中空スペースに内装することとし、一方、光源は握り杆部以外の部位に設けているので、取手部の握り杆部には電源や光源による邪魔な突起などが一切無く、通常の取手部の握り杆部と同様の操作感で何ら違和感無く握持して除雪作業を実施できる。
【００２０】
特に、例えば本発明を除雪用の手動ラッセルに適用し、除雪作業部としてラッセル部を採用した場合には、このラッセル部を前にして雪面を進むことで雪を次々と押し動かして除雪を行うこととなるが、この際に、取手部の光源から除雪作業部としてのラッセル部を設けた先端側に向けて光を照射でき、即ちラッセル部の進行方向先を常に照らしながら雪面を進むことができるから、進行方向先の足元の視界を良好に確保でき非常に作業性や安全性に秀れた前記手動ラッセルを用いた除雪作業が実施可能である。
【００２１】
よって、本発明は、例えば明かりのない夜間などに除雪作業を行う場合においても、除雪箇所の積雪状況や除雪作業の進捗状況を確認し把握しながら、それだけ暗闇で闇雲に除雪するよりも極めて作業性良く効率的に、且つ安全に除雪作業を進展できる極めて実用性に秀れた画期的で商品価値の高い除雪具である。
【００２２】
また、請求項２，３記載の発明においては、取手部に設けた光源からの光を、より確実に柄杆体の除雪作業部が設けられた先端に照射せしめることができる構造を実現でき、よって、光の照射による本発明の上記秀れた作用効果を一層確実に発揮でき夜間での良好な除雪作業を確実に達成できる実用性に秀れた除雪具となる。
【００２３】
また、請求項４〜７記載の発明においては、取手部を一般的な先端から基端に向けて二股に分岐してＹ字状に突出する形状のＹ字状取付部の基端の二股間に握り杆部を架設した構成としながら、請求項４記載の発明によれば、取手部のＹ字状取付部の基端の握り杆部を筒状に構成してその筒状内部空間に（例えば電池などの）電源を収納配設できるなど、取手部の握り杆部内の空間を効率的に使用して電源を内装することができ、また、請求項５，６に記載の発明によれば取手部のＹ字状取付部の先端の二股同志が交差する交差部において、電源を収納配設し得る収納スペースを良好に確保でき、且つこの収納スペースを閉塞する部材に光源を突出状態に設ければ取手部に外方に突出する位置に先端側に向けて露出状態に光源を設ける本発明の構造を簡易に実現でき、また、請求項７記載の発明によれば、光源からの光を良好に柄杆体の先端側へと照射し得るべく、この柄杆体の外面より外方に突出した位置から先端側に向けて光源を露出状態に設ける構造を、取手部のＹ字状取付部の先端の交差部近傍の先端側に対向する側面に光源を設けることで簡単に実現できるなど、上記秀れた作用効果を発揮し得る本発明の構造を簡易に実現でき一層量産性及び実用性に秀れた除雪具となる。
【００２４】
また、請求項８記載の発明においては、取手部に設けたスイッチ部で、光源のスイッチング操作をスムーズな手元操作で簡易に行うことができる操作性に秀れた構造を簡易に実現でき、一層実用性に秀れた除雪具となる。
【発明を実施するための最良の形態】
【００２５】
好適と考える本発明の実施形態（発明をどのように実施するか）を、図面に基づいて本発明の作用を示して簡単に説明する。
【００２６】
本発明は、柄杆体１の先端に雪掬い部やラッセル部などの除雪作業部２を設けこの柄杆体１の基端に取手部３を設けた、例えば除雪用スコップや除雪用手動ラッセルなどの除雪具である。
【００２７】
作業者は、柄杆体１や取手部３の握り杆部３Ａを握持して除雪作業部２により（例えば雪を掬って投擲したり、例えば雪を押し分けたりといった）除雪作業を行う。
【００２８】
この際、取手部３に先端側に向けて露出状態に設けた光源５により柄杆体１の先端（除雪作業部２）に光を照射できるから、例えば明かりのない夜間などに除雪作業を行う場合においても、単に除雪したい任意の箇所に除雪作業部２を向けることで、同時に光源５からの光がその任意の箇所に照射され、よって除雪箇所の積雪状況や除雪作業の進捗状況などを確認しながら効率的に作業を進展でき、それだけ暗闇で闇雲に除雪するよりも作業性良く効率的に除雪作業を行えることとなる。
【００２９】
また、光源５の光が作業者だけではなく例えば自動車の運転手などの目に付き、それだけ交通事故を防ぐといったことも可能で、安全に夜間の除雪作業を実施できる。
【００３０】
また、取手部３の内部に形成した中空スペースに電源４を内装するので、この電源４が外方に突出せずスッキリとした外見とすることができるだけでなく、取手部３の握り杆部３Ａを握持して除雪作業を行う際に電源４が突起して作業の邪魔となるといった懸念は無い。更に、光源５も取手部３の握り杆部３Ａ以外の部位に設けており、よって、本発明は、作業時には、握り杆部３Ａに邪魔な電源４や光源５の突起などは一切なく、従来の一般的な除雪具の握り杆部と何ら代わり無く握持して良好に作業を実施できる。
【００３１】
しかも、この光源５を、柄杆体１や除雪作業部２でなく、手元に近い取手部３に設けた構成としたことで、それだけ例えば作業中に手元を照らしたい場合にも、前記光源５で簡単に手元を照らすことができる。
【００３２】
また、例えば前記電源４から光源５への通電を制御するスイッチ部８を、前記取手部３の基端の握り杆部３Ａ以外の部位にして前記電源４若しくは光源５の近接位置に設けた構成とした場合、手元に近い位置にスイッチ部８があれば、それだけ光源５のスイッチ操作をスムーズに行えることになるし、尚且つ電源４や光源５から離れた位置にスイッチ部８を設けるより、近い位置に設ける方が設計・製造もラクで、実用性及び生産性に秀れるものとなる。
【００３３】
また、例えば、光源５は、前記柄杆体１の基端に取り付け固定される取手部３の先端部から先端側に向けて露出状態に設ける構成とした場合には、取手部３自体が、光源５から先端部へと照射される前記光源５の光の邪魔（遮光障害）とならず、この取手部３の先端部から光源５の光を良好に柄杆体１の先端側の除雪箇所へと到達させ、一層確実且つ良好に照明機能を果たせる構成を実現できる。特に、取手部３の前記柄杆体１に取り付け固定される先端中央部に光源５を設けた場合には、たとえ一体の光源５でも、中央部から左右均等に前方（先端側）を照らすことが可能となる。
【００３４】
また、例えば、光源５は、前記取手部３の握り杆部３Ａ以外の部位にして、この取手部３の先端を取り付け固定する前記柄杆体１の外面より外方に突出する位置から先端側に向けて露出状態に設けた構成とした場合には、除雪作業時に、柄杆体１を握持する作業者の手や、或いは柄杆体１自体が、光源５からの光を柄杆体１の先端側の除雪箇所へと到達させる妨げとなることを阻止できる。
【００３５】
即ち、柄杆体１の外面より外方に突出する位置から光源５の光を照射すればそれだけ柄杆体１やこれを握持する作業者の手に光が遮光されることなく、良好に除雪作業部２がある先端側に光源５の光を照射できることとなる。
【００３６】
また、後述する実施例のように、前記取手部３は、この種の除雪具の取手部３として一般的な、先端から基端に向けて二股に分岐してＹ字状に突出するＹ字状取付部３Ｂの先端を前記柄杆体１の基端に取り付け固定すると共に、このＹ字状取付部３Ｂの基端の二股間に前記握り杆部３Ａを架設状態に配した構成とした場合には、例えばこの取手部３のＹ字状取付部３Ｂの基端の二股間に架設した握り杆部３Ａを円筒状とすれば、この握り杆部３Ａに、後述した実施例のように、側方から電源４としての電池を直列状態に配する（図１参照）といったことができ、電源４の配設スペースを、作業上全く邪魔と成らない位置に良好に確保できることとなるし、また他にも、例えばこの取手部３のＹ字状取付部３Ｂの先端の二股同志が交差する交差部などに電源４を内装するための収納空間などを確保したりもでき（図３参照）、また例えば、この取手部３のＹ字状取付部３Ｂの二股同志が交差する交差部の近傍にして先端側に対向する側面に前記光源５を露出状態に設ければ（図６参照）、光源５を柄杆体１の外面より外方に突出した位置から先端側に向けて露出状態に設ける本発明の構造を簡易に実現できるなど、本発明の秀れた構造を簡易に実現でき得ることとなる。
【実施例１】
【００３７】
本発明の具体的な実施例１について図面に基づいて説明する。
【００３８】
本実施例は、柄杆体１の先端に雪掬い部やラッセル部などの除雪作業部２を設けこの柄杆体１の基端に取手部３を設けた除雪具であって、前記取手部３は、先端を前記柄杆体１の基端に取り付け固定すると共に基端に握り杆部３Ａを有する構成とし、この取手部３に形成した中空スペースに電源４を内装し、この電源４からの通電により発光する光源５を前記取手部３の握り杆部３Ａ以外の所定部位から先端側に向けて露出状態に設け、この光源５から前記柄杆体１の前記除雪作業部２を設けた先端側に向けて光を照射し得るようにこの光源５の光の指向性を設定した除雪具である。
【００３９】
尚、請求項１中の「柄杆体」並びに「握り杆部」なる記載は、無垢の杆材で構成されたものだけを意味するものではなく、後述した本実施例の柄杆体１や握り杆部３のように、例えば筒状，パイプ状の部材で構成したものも含む意味合いで用いている。
【００４０】
本実施例の柄杆体１は、樹脂成形した円筒状の棒材から成る構成である。その先端部には、図３に図示したように、同じく樹脂成形された除雪作業部２としての雪掬い部（スコップ板）を設けている。具体的には、この雪掬い部に設けた取付挿入部に柄杆体１の先端を挿入配設して取り付け固定した構成である。
【００４１】
この柄杆体１の基端には取手部３を取り付け固定しているが、この取手部３は、具体的には、図１及び図２に図示したように、先端から基端に向けて二股に分岐してＹ字状に突出するＹ字状取付部３Ｂの先端を前記柄杆体１の基端に取り付け固定すると共に、このＹ字状取付部３Ｂの基端の二股間に前記握り杆部３Ａを架設状態に配した構成としている。
【００４２】
尚、この取手部３のＹ字状取付部３Ｂと基端の二股間に架設状態に設ける握り杆部３Ａとは樹脂成形品としている。またこのＹ字状取付部３Ｂと握り杆部３Ａとは別パーツでも良いし、一体に成形した構成でも良い。Ｙ字状取付部３Ｂは、先端が筒状に形成されており、そのＹ字状取付部３Ｂの先端筒状部を柄杆体１の基端に被嵌状態に設けて、図１に図示したように被嵌装着状態に取り付け固定している。
【００４３】
また、取手部３の握り杆部３Ａは、図１に図示したように、筒状に構成している。そして、この筒状の握り杆部３Ａの筒内部空間を電源収納部６とし、この電源収納部６の側方の筒開口から内方に向け、電源４としての電池（乾電池）を直列状態に挿入し、開閉蓋９で側方の筒開口を開閉自在に閉塞（本実施例においては開閉蓋９の外周面に形成した螺合部を、握り杆部３Ａの側方の筒開口縁から内方に形成された螺着部に螺合して螺着固定）して電源４を取手部３に内装した構成である。尚、この握り杆部３Ａの内部には前記挿入した電池と光源５とを電気的に接続する導線部を配線している。
【００４４】
また、光源５は、この取手部３のＹ字状取付部３Ｂの中央先端部にして二股同志が交差する交差部に設けている。尚、光源５は、例えば白熱電球やハロゲンランプやＬＥＤランプなどの小型ランプを採用する。
【００４５】
具体的には、図１に図示したように、Ｙ字状取付部３Ｂの二股同志が交差する交差部を他の部位より外方に突出状態に設け、このやや外方に突出した部位に光源５を設けて、図１に図示したように外方に突出する位置から先端側に向けて光源５を露出状態（光源５の先端の一部が露出するよう）に設けている。
【００４６】
従って、光源５が取手部３の他の部位や柄杆体１の外面よりも外方に突出した位置で、それも、図２に図示したように、作業を行う際に上方側に突出した位置に設けられているから、この位置から先端側に向けて照射される光源５の光は、例えば柄杆体１や、柄杆体１を握る作業者の手によって邪魔（遮光）されにくく、良好に先端の除雪作業部２を設けた側に光を照射できる。光源５が、たとえ取手部３の外方に突出した位置に設けられていても、作業時に下方に突出する位置に設けられていた場合には先端側を良好に照らすことができないが、本実施例のように、上方に突出する位置に設けていた場合、除雪作業部２としてのスコップ板の上面を越えて先端側（前方側）に良好に光を照射できる。
【００４７】
また、本実施例では、電源４から光源５への通電を制御するスイッチ部８を、前記取手部３の基端の握り杆部３Ａ以外の部位にして前記電源４若しくは光源５の近接位置に設けている。具体的には、図１に図示したように、取手部３のＹ字状取付部３Ｂの前記他の部位よりやや外側に突出し、且つ前記光源５が設けられる突出部位の凸頂部にスイッチ部８を設けている。
【００４８】
本実施例では、このスイッチ部８を介して前記電源４と光源５とを電気的に接続するものであり、このスイッチ部８を接続状態にスイッチング操作することで光源５による光の照射が行われるように構成したものである。
【００４９】
尚、光源５を点滅させる回路を組み込んで、点滅発光による夜間の事故防止効果の向上を図っても良い。
【実施例２】
【００５０】
本発明の具体的な実施例２について図面に基づいて説明する。
【００５１】
本実施例は、上述した実施例１の別例であって、具体的には、図３，４に図示したように、先端から基端に向けて二股に分岐してＹ字状に突出するＹ字状取付部３Ｂの二股同志が交差する先端中央部の交差部に電源４を内装した構成としている。
【００５２】
具体的には、このＹ字状取付部３Ｂの中央先端部の交差部に電源収納部６を形成し、この電源収納部６に乾電池を装着する装着ケースを収納し、この装着ケースに乾電池を装着して電源４を構成している。
【００５３】
また、この電源収納部６を閉塞する閉塞部材７に光源５を突出状態に設けている。具体的には、この閉塞部材７の中央部を他の部位より突出形成し、その突出した部位に光源５を埋設して先端発光部の一部が露出するように設けている。また、この閉塞部材７の中央部の突出形成した部位にスイッチ部８も設けている。
【００５４】
従って、電源収納部６に閉塞部材７を閉塞配設することで、図４に図示したように、取手部３のＹ字状取付部３Ｂの先端中央部の交差部にして、この取手部３の他の部位より外方に突出した位置から先端側に向けて露出状態に前記光源５を設けた構成である。
【００５５】
尚、図中符号11は、光源５及び電源４を電気的に接続する導線11である。
【００５６】
また、柄杆体１の先端に設ける除雪作業部２として、一般的な除雪用の手動ラッセルのラッセル板（押雪板）を取り付け固定している。
【００５７】
この除雪作業部２としてのラッセル板のやや先端側（ラッセル進行方向側）に前記光源５からの光が照射されるように光源５の光の指向性を設定している。
【００５８】
この実施例２によれば、通常の除雪用の手動ラッセルとして用い除雪作業を行えることは勿論、進行方向側の足元を前記光源５によって照らしながら作業を進展できるので、夜間においても非常に作業性良く安全に除雪が可能である。
【００５９】
その余は実施例１と同様である。
【実施例３】
【００６０】
本発明の具体的な実施例３について図面に基づいて説明する。
【００６１】
本実施例は、上述した実施例１の別例であって、具体的には、図６に図示したように、先端から基端に向けて二股に分岐してＹ字状に突出するＹ字状取付部３Ｂの二股同志が交差する先端中央部の交差部の近傍位置にして先端側に対向する側面に前記光源５を露出状態に設けた構成としたものである。
【００６２】
この取手部３のＹ字状取付部３Ｂの側面部位置に電源収納部６を形成し、この電源収納部６に乾電池を装着する装着ケースを収納し、この装着ケースに乾電池を装着して電源４を構成している。また、電源収納部６には開閉自在な開閉蓋10を閉塞配設する。
【００６３】
また、Ｙ字状取付部３Ｂの先端中央部の交差部から、基端側にやや移動した位置にある傾斜側面部に光源５を先端側に向けて露出状態に設ける。従って、図６に図示したように、光源５の位置はＹ字状取付部３Ｂの中央部よりやや外方位置で、且つ柄杆体１に対しても外方に突出した位置となる。
【００６４】
この実施例３によれば、光源５が取手部３に対しては略面一で突出していないにも関わらず、柄杆体１の外面より外方に突出した位置にこの光源５を位置せしめることができ、柄杆体１の外面より外方位置から先端側に向けて露出状態に光源５を設ける構造を簡易に実現できる。
【００６５】
その余は実施例１と同様である。
【００６６】
尚、本発明は、実施例１，２，３に限られるものではなく、各構成要件の具体的構成は適宜設計し得るものである。
【図面の簡単な説明】
【００６７】
【図１】実施例１に係る除雪具の要部の説明分解斜視図である。
【図２】実施例１に係る除雪具の使用状態説明図である。
【図３】実施例２に係る除雪具の要部の説明分解斜視図である。
【図４】実施例２に係る除雪具の要部の説明分解斜視図である。
【図５】実施例２に係る除雪具の使用状態説明図である。
【図６】実施例３に係る除雪具の要部の説明分解斜視図である。
【符号の説明】
【００６８】
１  柄杆体
２  除雪作業部
３  取手部
３Ａ  握り杆部
３Ｂ  Ｙ字状取付部
４  電源
５  光源
６  電源収納部
７  開閉部材
８  スイッチ部
【図１】
2008138449.tif 000003
【図２】
2008138449.tif 000004
【図３】
2008138449.tif 000005
【図４】
2008138449.tif 000006
【図５】
2008138449.tif 000007
【図６】
2008138449.tif 000008